(57)【要約】      （修正有）【課題】容易に設置できるセンサ装置を提供する。【解決手段】センサ装置１００にはアダプタを接続するためのねじ孔１０３が設けられる。アダプタは、センサ装置１００を検出領域にセットするために使用される。センサ装置１００は、ねじ孔１０３を有している。ねじ孔は、ＩＳＯ１２２２またはＪＩＳ  Ｂ７１０３の規格に準拠した１／４−２０ＵＮＣの雄ねじに対応した雌ねじであり、その長さは４．５ｍｍである。【選択図】図２
0003223526.tif 000002
【実用新案登録請求の範囲】
【請求項１】
筐体と、前記筐体を検知エリアにセットするアダプタを接続するためのねじ孔と、を備え、
前記ねじ孔は、ＩＳＯ１２２２またはＪＩＳ  Ｂ７１０３規格の１／４−２０ＵＮＣの雄ねじに対応する雌ねじであり、かつ前記ねじ孔の長さは４．５ｍｍ以上である、
センサ装置。
【請求項２】
前記筐体内に収納された光電センサを有した、
請求項１記載のセンサ装置。
【請求項３】
前記筐体は、前記光電センサを出力する窓を有し、
前記ねじ孔は、前記窓の後方に配置された、
請求項２記載のセンサ装置。
【請求項４】
前記ねじ孔は、平面視で前記光電センサの光軸の延長線上に配置されている、
請求項１または２記載のセンサ装置。
【請求項５】
前記ねじ孔は、筐体の上面または下面に配置されている、
請求項１または２記載のセンサ装置。
【請求項６】
前記光電センサを駆動して動作させるための電池を、さらに備えた、
請求項１から３のいずれかひとつに記載のセンサ装置。
【請求項７】
前記電池は二次電池であり、
前記電池を充電するＵＳＢインターフェースを、さらに備えた、
請求項６記載のセンサ装置。
【請求項８】
前記ねじ孔は、平面視で前記電池と重ならない位置に配置された、
請求項６記載のセンサ装置。
【請求項９】
前記筐体内に設けられ、前記光電センサで取得されたセンサデータを無線送信する無線通信部をさらに含む、
請求項１から３のいずれかひとつに記載のセンサ装置。
【請求項１０】
前記アダプタは、
任意の方向に回転して固定できる関節と、
作業台に取り付けるためのワンタッチグリップと、
前記ねじ孔と羅合するねじ部と、を有した、
請求項１から３のいずれかひとつに記載のセンサ装置。
【考案の詳細な説明】
【技術分野】
【０００１】
本考案は、検知エリアに設置されて使用されるセンサ装置に関する。
【背景技術】
【０００２】
従来、非接触式体温計などの非接触式センサを装着位置に装着保持するためのマウントが知られている。このようなマウントは、例えば特許文献１に開示されている。
【０００３】
以下、従来のセンサ装置を装着するマウントについて図面を参照して説明する。図９は、従来のマウントの正面図である。
特許文献１に記載のマウントでは、図９に示すように、マウント９００は、２つのボルト９０１、９０２とナット９０３、９０４を利用して固定部材９０５とセンサとを固定する。固定部材９０５は、測定対象物の近傍に設けられた取付台などにマウントを取り付けるためのものである。固定部材９０５はＬ字形状をしており、マウントを取付台に取り付けるための２つのボルト穴９０７が形成されている。また、固定部材９０５とセンサ取付部材９０６の接続側片に設けられた２つのボルト穴のうち、１つのボルト穴は長穴である。
【０００４】
一方、センサ取付部材９０６もＬ字型であり、固定部材９０５の接続側片に２つのボルト孔が形成されている。また、センサ取付部材９０６のセンサ取付側には、非接触センサを位置決め固定するための円形孔と長孔とを含む複数の取付孔９０８が形成されている。
【先行技術文献】
【特許文献】
【０００５】
【特許文献１】特開２００６−０４８９３７号公報
【考案の概要】
【考案が解決しようとする課題】
【０００６】
しかしながら従来の取付部材では、センサの取付方向の調整が縦方向と横方向とで規定されているため、センサの検出方向が制限されていた。
【０００７】
また、マウント（アダプタ）を固定するために対象部材をネジ止めするためのねじ孔を設ける必要があるため、設置場所が限られる。したがって、センサを検知エリアに設置する際に、設定時間が長くなるという課題を有していた。
【０００８】
そこで本発明は、この問題を解決したもので、容易に設置できるセンサ装置を提供することを目的としたものである。
【課題を解決するための手段】
【０００９】
この目的を達成するためにセンサ装置は、筐体と、この筐体を検知エリアにセットするアダプタを接続するためのねじ孔とを備えている。ねじ孔は、ＩＳＯ１２２２またはＪＩＳ  Ｂ７１０３規格の１／４−２０ＵＮＣの雄ねじに対応する雌ねじであり、かつねじ孔の長さは４．５ｍｍ以上である。これにより所期の目的を達成することができる。
【考案の効果】
【００１０】
以上のように本発明によれば、ねじ孔は、ＩＳＯ１２２２またはＪＩＳ  Ｂ７１０３規格の１／４−２０ＵＮＣの雄ねじに対応する雌ねじであり、かつねじ孔の長さは４．５ｍｍ以上であるので、汎用のユニバーサル三脚やカメラアダプタなどを利用することができ、センサの検出方向を被検出物の任意の位置に容易に合わせることができる。したがって
、センサの設置時間を短縮することができる。
【図面の簡単な説明】
【００１１】
【図１】本発明の一実施形態にかかるセンサの構成を示す概略斜視図である。
【図２】本発明の一実施形態にかかるセンサの構成を示す概略斜視図である。
【図３】本発明の実施形態のセンサを示す概略正面図である。
【図４】本発明の一実施形態に係るセンサの構成を示す概略分解斜視図である。
【図５】本発明の一実施形態に係るセンサの内部基板の回路構成を示す概略等価回路図である。
【図６】本発明の一実施形態にかかるアダプタの構成を示す概略斜視図である。
【図７】本発明の実施形態に係るセンサの構成を示す概略斜視図である。
【図８】本発明の実施形態に係るセンサの構成を示す概略正面図である。
【図９】従来の取付部材の構成を示す概略平面図である。
【考案を実施するための形態】
【００１２】
以下本実施の形態におけるセンサ層地について説明する。
【００１３】
（実施の形態１）
本考案の一実施形態では、筐体には、センサ装置を検出領域に設置するためのアダプタへと接続するためのねじ孔が設けられており、このねじ孔はＩＳＯ１２２２またはＪＩＳ
Ｂ７１０３規格に対応する１／４−２０ＵＮＣの雄ねじに対応した雌ねじであり、その長さは４．５ｍｍである。
【００１４】
これによれば、筐体に設けられたねじ孔をセンサに検出領域に設けるためのアダプタに接続することができる。アダプタは、任意の方向に回転固定することができる関節有している。そしてこの関節を調整することによって、センサを適宜所望の検出方向に合わせることができる。したがって、センサ装置の設置自由度を向上させ、センサ装置を設置する時間を短縮することができる。
【００１５】
なお、本明細書に記載の特定の実施形態は単に本考案を例示するものであり、本考案を限定することを意図するものではない。なお、説明の便宜上、図面には関連技術に関連する部分のみを示している。
【００１６】
以下本実施の形態におけるセンサ装置について、図面を参照しながら、光電センサを例に挙げて具体的に説明する。図１および図２は、センサ装置の概略斜視図である。図３は、センサ装置の概略正面図である。
【００１７】
図１〜図３に示すように、センサ装置１００は、筐体４００と、ＵＳＢインターフェース１０２と、ねじ孔１０３とを備えている。筐体４００は、上面１００ａと下面１００ｂと、窓１０１を有している。ねじ孔１０３は、センサ装置１００をアダプタに接続し、所定の検知領域を検知するためのものである。
【００１８】
ねじ孔は、ＩＳＯ１２２２またはＪＩＳ  Ｂ７１０３規格の１／４−２０ＵＮＣの雄ねじに対応する雌ねじであり、その長さは４．５ｍｍである。このように一般的な規格のねじ孔をセンサ装置１００に設けることにより、センサ装置１００は、汎用の三脚やカメラアダプタなどによって簡単に所定の位置へ設置できる。
【００１９】
センサ装置１００が光電（フォト）センサである場合には、図２に示すように、ねじ孔１０３を光電センサの窓１０１の裏側に設けることが好ましい。ねじ孔１０３を窓１０１の裏側に配置することで、光軸方向を合わせやすくなる。また、光軸方向の整合をさらに
容易にするためには、平面視でねじ孔１０３を光電センサの光軸上に配置することが好ましい。なお図２では、光電センサの光軸を破線の矢印で示している。
【００２０】
また、図２では、ねじ孔１０３をセンサ装置１００の下面１００ｂに設けているが、センサ装置１００の上面１００ａにねじ孔１０３を設けてもよいし、センサ装置１００の上面１００ａにねじ孔１０３を設けてもよい。  下面１００ｂ以外の面であれば、センサの機能を阻害しないか許容範囲内であれば使用可能である。
【００２１】
図４は、センサ装置の概略分解斜視図である。図４に示すように、筐体４００は、上筐体４０１と下筐体４０２を備えている。下筐体４０２には、ねじ孔１０３を配置するための穴４０３が形成されており、この穴４０３にねじ孔１０３を有するねじ孔部材４０４を配置してねじ固定することで、下筐体４０２にねじ孔１０３が形成されている。
【００２２】
別途形成したねじ孔部材４０４を用いてねじ孔１０３を形成することで、筐体４００とは異なる材料でねじ孔１０３を形成することができる。例えば、筐体４００の材質が樹脂の場合、例えばねじ孔１０３を金属（合金も含む）で形成することが好ましい。この場合、ねじ孔のめねじの精度を向上させることができる。また、ねじ孔１０３の強度を高めることができるので、センサ装置１００を繰り返し取り付けてもめねじの破損等を抑制することができる。勿論、ねじ孔１０３をハウジングと同じ材料で形成することも可能である。この場合、ねじ孔１０３を筐体４００と一体に形成することも可能である。
【００２３】
図５は、センサ装置１００の回路構成を示す概略等価回路図である。図５に示すように、センサ装置１００は、二次電池５０１と、充電制御部５０２と、無線通信モジュール５０３と、ＣＰＵ５０４と、投光回路５０５と、受光回路５０６と、投光素子５０７と、受光回路５０６と、ＰＤ受光素子５０８と、表示ＬＥＤ５０９と、充電端子Ｖｉｎ（マイクロＵＳＢ）５１０と、電源スイッチ５１１を備える。なお、ＰＤ受光素子５０８は、受光回路５０６に接続されている。また、充電端子Ｖｉｎ（マイクロＵＳＢ）５１０は、充電制御部５０２に接続されている。なお、光電センサの基本機能に関する作用は従来技術と同様であるので詳細な説明は省略する。以下、本発明に関連する構成および構成のみを説明する。
【００２４】
センサ装置１００には、光電センサの動作を駆動するための二次電池５０１などの電池が設けられている。このようにセンサ装置１００は電池によって動作するので、センサ装置１００を商用電源に接続せずに動作させることができる。したがって、電源配線がない場所や配線が難しい場所などに対しても、センサ装置１００を容易に設置することができるので、センサ装置１００の設置自由度を向上させることができる。
【００２５】
また、電池が二次電池５０１である場合、センサ装置１００は、ＵＳＢインターフェースを介して二次電池５０１を充電することもでき、このとき、充電制御部５０２を用いて充電を制御することもできる。図５に示す充電端子Ｖｉｎ（マイクロＵＳＢ）５１０は、図１および図２に示すＵＳＢインターフェース１０２に対応し、二次電池５０１を充電するためのＵＳＢインターフェースの一例である。  もちろん、ＵＳＢインターフェースとして、マイクロＵＳＢインターフェースの他に、ミニＵＳＢインターフェース、標準ＵＳＢインターフェースなどを用いることができる。
【００２６】
センサ装置１００が電池を備える場合、ねじ孔１０３は平面視で電池と重ならない位置に配置されることが好ましい。この場合、電池（例えば二次電池５０１）がネねじ孔１０３の配置を妨げることがなく、センサ装置１００全体の厚みを薄くすることができる。
【００２７】
また、図５に示すように、センサ装置１００は、無線通信モジュール５０３（無線通信
部の一例）を含み、光電センサで取得したセンサデータを無線で送信することができる。これによれば、センサデータを伝送するための配線を行う必要がなく、センサ装置１００を任意の場所に簡単に設置することができる。
【００２８】
次に、本発明の実施形態に係るアダプタについて説明する。図６は、アダプタの概略斜視図である。図６に示すように、アダプタ６００は、把持部６０１と、ジョイント６０２と、ネジ６０３とを有する。ネジ６０３をセンサ装置１００のねじ孔１０３に螺合することで、センサ装置１００をアダプタ６００に接続することができる。したがって、アダプタ６００は、センサ装置１００を検知領域にセットするための保持治具として使用することができる。また、ねじ６０３は、ＩＳＯ１２２２またはＪＩＳ  Ｂ７１０３規格において、１／４〜２０ＵＮＣであり長さ４．５ｍｍの雄ねじである。
【００２９】
さらに、アダプタ６００のジョイント６０２は、任意の方向に回転させて固定することができる。これによれば、センサ装置１００とアダプタ６００とを検知領域に設定した後も、センサ装置１００の検知方向を任意の方向に調整することができる。
【００３０】
また、アダプタ６００の把持部６０１は作業台への取り付けに用いられる。把持部６０１は、ワンタッチグリップ部であることが好ましく、テーブル等の支持台等に弾性によって取り付けることができる。これによれば、設備などのレイアウトを変更する場合でも、柔軟に対応することができる。
【００３１】
次に、センサ装置１００の設定方法について図面を用いて簡単に説明する。図７は、センサ装置の概略斜視図である。図８は、センサ装置の概略正面図である。図７及び図８に示すように、センサ装置１００はねじ孔を介してアダプタ６００に接続されており、アダプタ６００は把持部によってテーブル７００の様々な位置に取り付けられている。なお、アダプタ６００をグリップ部により円筒状または正方形状の取付部に取り付ける場合を示したが、ワンタッチグリップ部により三角プリズム、多角柱等に取り付けることも勿論可能である。すなわちアダプタ６００は、把持部を有しているので、様々な大きさや形状の装着部に装着することができる。
【００３２】
本実施形態では、光電センサを例に挙げて説明した。しかし、光電センサ以外にも、温度センサ、圧力センサ、面積センサ、サイズセンサなど様々なセンサに本発明を適用することができる。
【００３３】
以上のように、本開示における技術の例示として、上記の実施の形態を説明した。しかしながら、本開示における技術は、上記に限定されず、適宜、変更、置換、付加、省略などを行った実施の形態にも適用可能である。また、実施の形態で説明する各構成要素を組み合わせて、新たな実施の形態とすることも可能である。
【産業上の利用可能性】
【００３４】
本発明にかかるセンサ装置は、容易に設置できるという効果を有し、人や物などをセンシングする電子機器等に用いると有用である。
【符号の説明】
【００３５】
１００  センサ装置
１００ａ  上面
１００ｂ  下面
１０１  窓
１０２  ＵＳＢインターフェース
１０３  ねじ孔
４００  筐体
４０１  上筐体
４０２  下筐体
４０３  穴
４０４  ねじ孔部材
５０１  二次電池
５０２  充電制御部
５０３  無線通信モジュール
５０４  ＣＰＵ
５０５  投光回路
５０６  受光回路
５０７  投光素子
５０８  ＰＤ受光素子
５０９  表示ＬＥＤ
５１０  充電端子Ｖｉｎ（マイクロＵＳＢ）
５１１  電源スイッチ
６００  アダプタ
６０１  把持部
６０２  ジョイント
６０３  ネジ
７００  テーブル
【図１】
0003223526.tif 000003
【図２】
0003223526.tif 000004
【図３】
0003223526.tif 000005
【図４】
0003223526.tif 000006
【図５】
0003223526.tif 000007
【図６】
0003223526.tif 000008
【図７】
0003223526.tif 000009
【図８】
0003223526.tif 000010
【図９】
0003223526.tif 000011